(57)【特許請求の範囲】
【請求項１】
光量を調節する光量調節羽根と、
この光量調節羽根を移動自在に支持する羽根支持部材と、
回転軸を有する磁石で形成されたロータと、
このロータに設けられ上記光量調節羽根を移動する駆動アームと、
上記ロータの外側に磁界を形成するコイルと、
このコイルを外周に巻回するコイル枠とを備えた光量調節装置において、
上記羽根支持部材は上記光量調節羽根を支持する平坦面とこの平坦面から突出し該光量調節羽根と係合しその移動を規制する突起とで構成し、
上記コイル枠は上記ロータの軸方向上下に分割した２つのコイル枠で構成し、
このコイル枠の一方と上記羽根支持部材とを一体成型により形成すると共に、
上記駆動アームを上記コイル枠の外側に突出させて上記平坦面に支持した光量調節羽根の係合孔に嵌合したことを特徴とする光量調節装置。
【請求項２】
光量を調節する光量調節羽根と、
この光量調節羽根を移動自在に支持する羽根支持部材と、
回転軸を有する磁石で形成されたロータと、
このロータに設けられ上記光量調節羽根を移動する駆動アームと、
上記ロータの外側に磁界を形成するコイルと、
このコイルを外周に巻回するコイル枠とを備えた光量調節装置において、
上記羽根支持部材は上記光量調節羽根を支持する平坦面とこの平坦面から突出し該光量調節羽根と係合する案内突起とで構成し、
上記コイル枠は上記ロータの軸方向上下に分割された２つのコイル枠で構成し、
このコイル枠の一方と上記羽根支持部材は一体成型により形成され、
上記ロータは上記２つのコイル枠を合体して内蔵され、
上記コイルは上記合体したコイル枠の外周に巻回され、
上記光量調整羽根はこのコイルを巻回した羽根支持部材の平坦面に取付けられ、
上記駆動アームは上記コイル枠の外側に突出して上記光量調節羽根に形成した係合孔と嵌合されていることを特徴とする光量調節装置。
【請求項３】
前記光量調節羽根は２枚の羽根部材で構成され、前記羽根支持部材の平坦面にそれぞれ摺動自在に支持されていることを特徴とする前記請求項１又は２に記載の光量調節装置。
【発明の詳細な説明】
【０００１】
【産業上の利用分野】
この発明は、移動により光量を調節する光量調節部材と、この光量調節部材を入力信号に応じて駆動する駆動手段とから成る光量調節装置に関し、例えばカメラの絞り装置として用いられるものである。
【０００２】
【従来の技術】
図８に従来の光量調節装置の構成例を示す。
この従来例によれば、光量調節部材としての一対の絞り羽根３、４を支持部である地板１上に摺動自在に支持して絞りカバー２によって覆うとともに、前記絞り羽根３、４は駆動手段のロータ５の出力軸であるシャフト６と結合している駆動アーム７と係合している。
駆動手段はコイルの巻回された一対のコイル枠８ａ、８ｂとの間に前記ロータ５を揺動自在に内包し、外部にヨーク９を嵌合させ、底部をキャップ１０によって覆ったものである。
従来では、図示のように光量調節部材を支持する支持部は駆動手段とは別体になされていた。
【０００３】
【発明が解決しようとする課題】
上述のように、従来のものは光量調節部材の支持部が駆動手段と別体をなしていたため、部材数が多くなり、組み立てのための工数もかかり、コスト高になるとともに、組み立て精度の点及び小型化の点において問題を有していた。
この発明は従来品に於ける上記問題点に鑑みてなされたもので、部材数を極力少なくし、より小型で、組み立て工数並びに同精度の点において格段に優れた光量調節装置を提供することを目的としたものである。
【０００４】
【課題を解決するための手段】
上記課題は以下の構成によって達成される。
まず、請求項１の発明は、光量を調節する光量調節羽根と、この光量調節羽根を移動自在に支持する羽根支持部材と、回転軸を有する磁石で形成されたロータと、このロータに設けられ上記光量調節羽根を移動する駆動アームと、上記ロータの外側に磁界を形成するコイルと、このコイルを外周に巻回するコイル枠とを備えた装置構成において、上記羽根支持部材は上記光量調節羽根を支持する平坦面とこの平坦面から突出し該光量調節羽根と係合しその移動を規制する突起とで構成する。また上記コイル枠は上記ロータの軸方向上下に分割した２つのコイル枠で構成し、このコイル枠の一方と上記羽根支持部材とを一体成型により形成する。そして上記駆動アームを上記コイル枠の外側に突出させて上記平坦面に支持した光量調節羽根の係合孔に嵌合する。このような構成によって上下に分割したコイル枠の一方と羽根を支持する平坦面を有する羽根支持部材とは一体に形成され装置の小型化など前記の課題を達成することが出来る。
また、請求項２の発明は、光量を調節する光量調節羽根と、この光量調節羽根を移動自在に支持する羽根支持部材と、回転軸を有する磁石で形成されたロータと、このロータに設けられ上記光量調節羽根を移動する駆動アームと、上記ロータの外側に磁界を形成するコイルと、このコイルを外周に巻回するコイル枠とを備えた装置構成において、上記羽根支持部材は上記光量調節羽根を支持する平坦面とこの平坦面から突出し該光量調節羽根と係合してその移動を規制する突起とで構成し、上記コイル枠は上記ロータの軸方向上下に分割された２つのコイル枠で構成する。そしてこのコイル枠の一方と上記羽根支持部材は一体成型によって形成し、上記ロータをこの２つのコイル枠を合体して内蔵し、この合体したコイル枠の外周に上記コイルを巻回する。そこで上記光量調整羽根をこのコイルを巻回した羽根支持部材の平坦面に取付け、上記駆動アームをコイル枠の外側に突出させて上記光量調節羽根に形成した係合孔と嵌合する。更に、上記光量調節羽根は例えば２枚の羽根部材で構成し、上記平坦面にそれぞれ摺動自在に支持することによって構成する。
【０００５】
【実施例】
以下、図面に基づきこの発明の実施例を説明する。図１は本発明を適用した光量調節装置、例えばカメラの絞り装置２０の第１実施例の平面図を示している。そして、図２は図１における断面図を、図３は同じく図１の底面図を示している。カメラの絞り装置（以下、絞り装置と称する。）２０は、各図のように駆動手段である駆動モータ３０と、この駆動モータ３０の出力軸３１に固結された駆動アーム３２に係合した図５Ａ、図５Ｂのような光量調節部材としての一対の絞り羽根４０、４１とからなっている。ところで、上記絞り羽根４０、４１は極めて薄い特殊な金属材料などで形成されているもので、これを支持手段なしで保持することはできない。本発明では、この支持手段を駆動モータ３０の一部と一体化したところに大きな特徴を有するものであって、図示の実施例では、駆動モータ３０のコイル枠５０を、図６の斜視図に示すように出力軸３１と直交する面で２分した第１コイル枠５１と、第２コイル枠６０とから構成している。
【０００６】
図４は上記第１コイル枠５１の縦断面図を示すものである。第１コイル枠５１は、枠体部５２と、絞り羽根４０、４１を支持する平坦面を有する支持部５３とから成っている。枠体部５２には、縦断面図２に見られるように、図示しないコイルを巻回するための巻回溝５２１が設けられている。一方、支持部５３には、絞り羽根４０、４１の各案内溝４０ａ、４０ｂ、４１ａ、４１ｂなどに嵌合して案内する案内突起５３１、５３２、５３３、５３４が突設され、この突起で羽根の移動を規制している。このうち、案内突起５３２と同５３４とは、それぞれ案内溝４０ｂ、４１ｂと嵌合して、サイド方向の摺動案内ばかりでなく、案内部５２の対面方向の案内も負担している。第２コイル枠６０は図２、図３などに見るように、ほぼ円筒形をなしており、後述の永久磁石から成るロータ３３を回転自在に収容する空洞部６０１と、上記第１のコイル枠５１のコイルの巻回溝５２１に対応する巻回溝６０２、後述のロータ３３の軸３１の支承孔６０３等が設けられている。なお、第２のコイル枠６０は第１のコイル枠５１にビス６１によって結合されている。図示のように第２のコイル枠６０は、従来のもののキャップの役割も担っている。
【０００７】
出力軸としてのロータ軸３１はロータ３３の中心を貫通して一体化されており、軸の両端は第１のコイル枠５１の支承孔５２２と、第２のコイル枠６０の支承孔６０３とによって、回転自在に支承されている。さらに上記ロータ軸３１には図１、２などのようにコイル枠の外側に突出して絞り羽根４０、４１と係合して駆動力を伝える駆動アーム３２が固設されている。駆動アーム３２には絞り羽根４０、４１の各係合孔４０ｄ、４１ｄに係合する一対の係合部３２ａ、３２ｂが立設されている。なお、この係合部３２ａ、３２ｂがそれぞれ絞り羽根４０、４１の係合孔４０ｄ、４１ｄに通された後、各羽根４０、４１の面直角方向のばたつきを押えるための抑え部材３４ａ、３４ｂが取り付けられるようになっている。そして、絞り羽根４０、４１はこれら抑え部材３４ａ、３４ｂと、第１のコイル枠５１の案内突起のうちの案内突起５３２、５３４によって２カ所づつ面直角方向に支持されているから、従来のような大型の絞りカバーのような部材を必要とせず、部材コスト並びにスペース節約に大きく寄与している。駆動モータ３０の最外部を構成しているのは、薄い鋼板を巻いて形成した円筒形のヨーク３５で、第２のコイル枠６０の外周に嵌着されている。なお、このヨーク３５には一部切欠部３５ａが形成されており、これはコイルに非通電のとき、ロータ３３の、従ってまた駆動アーム３２の中立位置、つまりそのホームポジッションを定める為に成されているものである。
【０００８】
次に作用を説明する。
先ずロータ軸３１と駆動アーム３２とを組み合わせ、しかる後駆動アーム３２をロータ３３に嵌入して固定する。この際、ロータ３３のＮＳ磁極の方向と、駆動アーム３２との向きとは所定の関係位置に決めておく。これは後にヨーク３５の切欠部３５ａの位置とも関連して、非通電時における駆動アーム３２の位置を決めるためである。
【０００９】
しかる後、ロータ軸３１の駆動アーム３２側端部を第１のコイル枠５１の支承孔５２２に、他の端部を第２のコイル枠６０の支承孔６０３に挿入し、両コイル枠５０、６０を複数のビス６１によって結合する。
次いで両コイル枠５０、６０のコイル巻回溝５２１、６０２に所定のコイルを巻回する。通常は、若干の間隔を隔てて駆動コイルと制動コイルとの組に分けて巻回するが、図示は省略してある。
次ぎに、ヨーク３５を、その切欠部３５ａの向きに注意して第２のコイル枠６０の外周に沿って嵌着する。
次ぎに、絞り羽根４０の案内溝４０ａを支持部５３の案内突起５３１に、また案内溝４０ｂを同じく突起５３２に嵌合させ、溝４０ｃは突起５３４に係合させる。一方、係合溝４０ｄを駆動アーム３２の係合部３２ａに係合させる。そして、抑え部材３４ａを結合する。
絞り羽根４１を同ようにして第１のコイル枠５１の支持部５３と、駆動アーム３２の係合部３２ｂとに係合させる。
なお、第２のコイル枠６０の空洞部６０１には、上記以外に、ロータ３３の回転位置の検出センサとして、ホール素子などが組み込まれており、また巻回されたコイルの端末を支持する端子ピンなどを備えたものもあるが、詳細についてはこれを省略した。
【００１０】
このようにして組み立てられた絞り装置２０は、レンズを介してカメラの感光手段例えばＣＣＤの前方に組み込まれ、被写体の輝度情報に対応した電流が駆動コイルに入力され、駆動コイルの形成する磁界によってロータ３３は回動し、揺動アーム３２が揺動して絞り羽根４０、４１を適度の開度位置に駆動する。しかして、絞り羽根４０、４１は従来のような大きな地板や絞りカバーなどを必要とせず、極めてコンパクトに構成されているから、部材点数が少なく、小型にできるため、カメラ本体への装着にもスペースをとらず、コスト削減、カメラのコンパクト化に寄与するところ大である。
【００１１】
次に図７にコイル枠７０を、ロータの回転軸に沿って、左右に二分割した場合を参考に説明する。図示において左右のコイル枠は、位置決めのため、図示はしていないが、合い面において、一方の側に複数の係合突起、他方の側に係合凹部を設けた点以外は、左右対象形をなしているので、以下の説明ではその一方の、図７において右側のコイル枠７０として説明するに止める。さて、コイル枠７０は、枠体部７１と絞り羽根４０、４１を支持する支持部７２とが一体成型に成されている。枠体部７１にはロータ３３を収容するための空洞部７１１と、コイルを巻回するための巻回溝７１２とが形成されており、またロータ軸３２を支持する支承孔７１３ａ、７１３ｂが設けられている。一方、支持部７２には、絞り羽根４０、４１を支持する平坦面に２個の案内突起７２１、７２２が設けられている。このうち、駆動モータ３０から遠い側の案内突起７２１は、絞り羽根４０、あるいは４１の支持面方向のばたつきを抑えるように、先端部を広げ、しかも絞り羽根に対向する部分を平坦にしてある。コイル枠の他の方も左右対象である以外は同じに形成されているので、詳細説明は省略する。
【００１２】
本実施例は上記のように構成されているので、駆動アーム３２を取り付けた駆動モータ３０を空洞部７１１内に収め、左右のコイル枠７０を合体させると、以下は上記第１実施例と同様に取り扱えるので説明を略す。
この第２実施例においても、第１実施例同様部材点数の少数化及び小型化による全体としてのコスト低減効果は絶大である。
【００１３】
【発明の効果】
本発明はコイルを巻回するコイル枠をロータの軸方向上下に分割した２つのコイル枠で構成し、このコイル枠の一方と光量調節羽根を支持する羽根支持部材とを一体成型により形成したので、コイル枠に内蔵したロータと羽根の支持部（平坦面）とを近接することが可能となり、装置のコンパクト化と製作精度を向上させることができる。同時に部品数も組立て工数も低減することができ、より小型で安価な光量調節装置を提供することが可能である。
【００１４】
【図面の簡単な説明】
【図１】カメラの絞り装置の平面図である。
【図２】図１における断面図である。
【図３】カメラの絞り装置の底面図である。（絞り羽根省略）
【図４】第１実施例におけるコイル枠の第１コイル枠の縦断面図である。
【図５Ａ】一方の絞り羽根の平面図である。
【図５Ｂ】他方の絞り羽根の平面図である。
【図６】第１実施例のコイル枠の斜視図である。
【図７】第２実施例のコイル枠の分解斜視図である。
【図８】従来カラの絞り装置の分解説明図である。
【符号の説明】
２０  カメラの絞り装置（光量調節装置）
３０  駆動モータ（駆動手段）
３１  ロータ軸（出力軸）
３２  駆動アーム（出力アーム）
３３  ロータ
４０  絞り羽根（光量調節部材）
４１  絞り羽根（光量調節部材）
５０  コイル枠（第１実施例）
５１  第１コイル枠
５２  枠体部（コイル枠部分）（第１実施例）
５３  支持部（第１実施例）
６０  第２コイル枠
７０  コイル枠（第２実施例）
７１  枠体部（コイル枠部分）（第２実施例）
７２  支持部（第２実施例）
【図１】
0003569607.tif 000002
【図２】
0003569607.tif 000003
【図３】
0003569607.tif 000004
【図４】
0003569607.tif 000005
【図５】
0003569607.tif 000006
【図６】
0003569607.tif 000007
【図７】
0003569607.tif 000008
【図８】
0003569607.tif 000009